(57)【要約】【課題】  光ファイバ融着接続機において、光ファイバの突き合せ融着部へ照明用光を反射するミラーの着脱交換を迅速に行うことのできるミラーホルダを提供する。【解決手段】  光ファイバ９の融着接続を行う光ファイバ融着接続機における風防カバー７に取付けられるミラーホルダ１３であって、前記風防カバー７へ取付けるホルダ本体１５に、反射ミラー１１を着脱可能に支持したミラー保持部１９を、ヒンジ部１７を介して揺動可能に設け、前記ミラー保持部１９を係止自在の係止ストッパ２３を前記ホルダ本体１５に設け、前記ミラー保持部１９は、前記係止ストッパ２３の係止部２５に押圧力付勢してあり、前記係止ストッパ２３の係止部２５に対するミラー保持部１９の押圧付勢は、ヒンジ部１９の弾性を利用する構成である。【選択図】      図４
2005189331.tif 000002
【特許請求の範囲】
【請求項１】
光ファイバの融着接続を行う光ファイバ融着接続機における風防カバーに取付けられるミラーホルダであって、前記風防カバーへ取付けるホルダ本体に、反射ミラーを着脱可能に支持したミラー保持部を、ヒンジ部を介して揺動可能に設け、前記ミラー保持部を係止自在の係止ストッパを前記ホルダ本体に設けたことを特徴とするミラーホルダ。
【請求項２】
請求項１に記載のミラーホルダにおいて、前記ミラー保持部は、前記係止ストッパの係止部に押圧付勢してあることを特徴とするミラーホルダ。
【請求項３】
請求項２に記載のミラーホルダにおいて、前記係止ストッパの係止部に対するミラー保持部の押圧付勢は、ヒンジ部の弾性を利用する構成であることを特徴とするミラーホルダ。
【請求項４】
請求項１，２又は３に記載のミラーホルダにおいて、前記ミラー保持部を起すための指掛け部を備えていることを特徴とするミラーホルダ。
【請求項５】
請求項１，２，３又は４に記載のミラーホルダにおいて、反射ミラーを当該ミラーの厚さ方向へ押圧する弾性部材を前記ミラー保持部に備えていることを特徴とするミラーホルダ。
【請求項６】
光ファイバの融着接続を行う光ファイバ融着接続機における器械本体に対して開閉自在かつ反射ミラーを備えた風防カバーであって、当該風防カバーに角度調節可能に取付けたホルダ本体に、反射ミラーを着脱可能に支持したミラー保持部をヒンジ部を介して揺動可能に設けると共に、前記ミラー保持部を前記ホルダ本体に固定自在に設けてあることを特徴とする風防カバー。
【発明の詳細な説明】
【技術分野】
【０００１】
本発明は、光ファイバの融着接続を行う光ファイバ融着接続機における風防カバーに取付けられるミラーホルダ及び上記風防カバーに係り、さらに詳細には、光ファイバの融着接続を行う接続部へ照明用の光を反射する反射ミラーの着脱交換を容易に行うことができると共に所定位置へのセットが容易なミラーホルダ及びミラーホルダを備えた風防カバーに関する。
【背景技術】
【０００２】
光ファイバの融着接続を行うための光ファイバ融着接続機は、光ファイバの突き合わせた端部を溶融し融着するためにアーク放電を行う放電電極を備えると共に、前記突き合わせ端部を観察するためのＣＣＤカメラを備え、さらに、前記突き合せ端部を照明するための光源を備えている。上記放電電極、ＣＣＤカメラ及び光源等は、光ファイバ融着接続機における器械本体に備えられている。
【０００３】
さらに、前記器械本体には風防を行うための風防カバーが開閉自在に設けられており、この風防カバーには、前記光源からの照明光を光ファイバの突き合せ端部へ反射する反射ミラーが設けられている。上記反射ミラーは、光源からの光の反射方向を調整可能なように、前記風防カバーに角度調整可能に装着したミラーホルダに一体的に接着してある。
【０００４】
なお、光ファイバ融着接続機における風防カバーに取付けるミラーホルダに係る先行例は見付けることはできなかったが、光ファイバ融着接続機に係る先行例としては特許文献１がある。
【特許文献１】特開平５−１６４９３３号公報
【発明の開示】
【発明が解決しようとする課題】
【０００５】
光ファイバ融着接続機においては、光ファイバの融着接続の際のアーク放電により、溶けたガラスが反射ミラーに付着したりして曇ることがある。
【０００６】
したがって、前記反射ミラーの交換を定期的に行う必要がある。上記反射ミラーの交換は、風防カバーからミラーホルダを取り外し、別個の新しいミラーホルダを風防カバーに装着した後、再度角度調整を行う必要がある。
【０００７】
すなわち、従来の構成においては、反射ミラーの着脱交換に時間を要するという問題があると共に、反射ミラーのみの交換ではなく、ミラーホルダ毎の交換であるので、コスト的に高くなるという問題がある。
【課題を解決するための手段】
【０００８】
本発明は、前述のごとき従来の問題に鑑みてなされたもので、光ファイバの融着接続を行う光ファイバ融着接続機における風防カバーに取付けられるミラーホルダであって、前記風防カバーへ取付けるホルダ本体に、反射ミラーを着脱可能に支持したミラー保持部を、ヒンジ部を介して揺動可能に設け、前記ミラー保持部を係止自在の係止ストッパを前記ホルダ本体に設けたことを特徴とするものである。
【０００９】
また、本発明は、上記ミラーホルダにおいて、前記ミラー保持部は、前記係止ストッパの係止部に押圧付勢してあることを特徴とするものである。
【００１０】
また、本発明は、上記ミラーホルダにおいて、前記係止ストッパの係止部に対するミラー保持部の押圧付勢は、ヒンジ部の弾性を利用する構成であることを特徴とするものである。
【００１１】
また、本発明は、上記ミラーホルダにおいて、前記ミラー保持部を起すための指掛け部を備えていることを特徴とするものである。
【００１２】
また、本発明は、上記ミラーホルダにおいて、反射ミラーを当該ミラーの厚さ方向へ押圧する弾性部材を前記ミラー保持部に備えていることを特徴とするものである。
【００１３】
また、本発明は、光ファイバの融着接続を行う光ファイバ融着接続機における器械本体に対して開閉自在かつ反射ミラーを備えた風防カバーであって、当該風防カバーに角度調節可能に取付けたホルダ本体に、反射ミラーを着脱可能に支持したミラー保持部をヒンジ部を介して揺動可能に設けると共に、前記ミラー保持部を前記ホルダ本体に固定自在に設けてあることを特徴とするものである。
【発明の効果】
【００１４】
本発明によれば、風防カバーに取付けるホルダ本体に揺動可能かつ係止自在に設けたミラー保持部に反射ミラーを着脱可能に装着した構成であるから、ミラー保持部に対する反射ミラーの着脱交換を容易に行うことができる。そして、ミラー保持部をホルダ本体に係止することにより反射ミラーの反射角度の再現性が保持される。したがって、角度調整が不要であり、反射ミラーの着脱交換を迅速に行うことができるものである。
【発明を実施するための最良の形態】
【００１５】
図１を参照するに、本発明の実施形態に係る光ファイバ融着接続機１は、器械本体３を備えており、この器械本体３の上部には、ヒンジ部５を介して風防カバー７が開閉自在に備えられている。前記器械本体３には、光ファイバ９の突き合わせた端部を溶融し融着するためにアーク放電を行うための対向した放電電極（図示省略）が備えられていると共に、前記突き合せ端部を観察するためのＣＣＤカメラ（図示省略）が備えられている。さらに、前記突き合せ端部の照明を行うための光源が備えられている。なお、この種の器械本体３は既に知られている構成であるから、器械本体３についての詳細な説明は省略する。
【００１６】
前記風防カバー７の内部には、光源からの照明用の光を、矢印で示すように、前記光ファイバ９の突き合せ端部側へ反射する反射ミラー１１を着脱交換可能に備えた一対のミラーホルダ１３が対称的に取付けてある。上記ミラーホルダ１３は、樹脂よりなるものであって、前記風防カバー７へ取付けるためのホルダ本体１５（図２参照）を備えており、このホルダ本体１５の一端部には折曲げ自在のヒンジ部１７を介してミラー保持部１９が揺動可能に設けられている。
【００１７】
前記ホルダ本体１５には、当該ホルダ本体１５を前記風防カバー７に角度調整可能に取付けるヒンジピン（図示省略）を挿通するピン挿通孔２１が形成してあり、このピン挿通孔２１を間にして前記ヒンジ部１７の反対側には、ヒンジ部１７で折曲げた前記ミラー保持部１９を係止自在の係止ストッパ２３が設けてある。そして、この係止ストッパ２３には、前記ミラー保持部１９を係止するための係止爪のごとき係止部２５が形成してある。
【００１８】
前記ミラー保持部１９には、前記ヒンジ部１７において回動するように折曲げたときに、前記ホルダ本体１５に接合する接合面が形成してあり、この接合面には、前記ピン挿入孔２１を形成した盛上り部２７を回避する凹部２９が形成してある。さらに、前記ミラー保持部１９には、当該ミラー保持部１９の先端側から挿入した前記反射ミラー１１を保持する複数のミラー保持片３１が突出形成してある。
【００１９】
すなわち前記反射ミラー１１は、ミラー保持部１９の保持部本体と前記ミラー保持片３１との間に挟まれた状態でもってミラー保持部１９に保持されるものであり、そして反射ミラー１１の着脱交換は、前記ミラー保持部１９の先端部側から行われるものである。
【００２０】
前記ミラー保持部１９の先端部には、前記係止ストッパ２３における係止部２５に係止される被係止部３３が形成してある。そして、前記ミラー保持部１９の基部側には、前記被係止部３３が前記係止部２５に係止した状態にあるミラー保持部１９を起すための指掛け部３５が設けてある。
【００２１】
以上のごとき構成において、前記ミラー保持部１９の先端側からミラー保持部１９の本体とミラー保持片３１との間へ反射ミラー１１を挿入することにより、ミラー保持部１９に対する反射ミラー１１の取付けが行われる。なお、逆の操作を行うことにより、ミラー保持部１９からの反射ミラー１１の取り外しが行われるものである。
【００２２】
前述したように、ミラー保持部１９に反射ミラー１１を取付けた状態において、前記ミラー保持部１９を、図２において、ヒンジ部１７を中心として矢印Ａ方向へ回動し折曲げると、ミラー保持部１９の被係止部３３が係止ストッパ２３の係止部２５に係止されて、図３に示すごとく、前記ホルダ本体１５の一部とミラー保持部１９とが重なり合った状態となるものである。
【００２３】
そして、前述のごとく、係止ストッパ２３の係止部２５にミラー保持部１９の被係止部３３が係止された状態においては、前記ヒンジ部１７を折曲げたことに起因する弾性の作用によって、前記被係止部３３を前記係止部２５に対して押圧付勢した態様となるものである。したがって、係止ストッパ２３の係止部２５にミラー保持部１９の被係止部３５を係止した状態においては、ホルダ本体１５とミラー保持部１９との位置的関係は常に一定の関係に保持されるものである。
【００２４】
なお、前述のごとく、係止ストッパ２３の係止部２５に対してミラー保持部１９の被係止部３５を押圧付勢するように係止する構成としては、前記ホルダ本体１５とミラー保持部１９との間に、板バネ、ゴム部材又はコイルスプリングのごとき弾性部材を介在する構成や、前記盛上り部２７と凹部２９との係合部に、係合時に弾性変形を生じる弾性変形部を設けるなど、適宜の構成を採用することができるものである。
【００２５】
前述のごとく、係止ストッパ２３に備えた係止部２５にミラー保持部１９の被係止部３３が係止された状態にあるときに、前記ストッパ２３の先端部を保持して、図３に示すように、矢印Ｂ方向へ僅かに弾性変形させて、前記係止部２５による被係止部３３の係止を解除すると共に、指掛け部３５に指を掛けて矢印Ｃ方向に回動することにより、ミラー保持部１９はヒンジ部１７を中心として回動され、図４に示すように起されるものである。
【００２６】
図４に示すように、前記ホルダ本体１５とミラー保持部１９との重なり合いを解除して、前記ミラー保持部１９を適宜に起した状態において、反射ミラー１１を矢印Ｄ方向に移動することにより、ミラー保持部１９に対する反射ミラー１１の着脱交換を行うことができるものである。ミラー保持部１９に対する反射ミラー１１の着脱交換後に、図３に示すように、係止ストッパ２３の係止部２５にミラー保持部１９の被係止部３３を再び係止することにより、ホルダ本体１５とミラー保持部１９との関係は再び元の位置関係に戻るものである。
【００２７】
ところで、前記風防カバー７に対する前記ミラーホルダ１３の装着は、次のように行われるものである。なお、風防カバー７に対するミラーホルダ１３の装着は、前述した従来の構成に準じた構成であるから、概略的に説明する。
【００２８】
ミラーホルダ１３の装着に当っては、図３に示す状態のミラーホルダ１３の上下を反転すると共にピン挿通孔２１にヒンジピン（図示省略）を挿通する。そして、上記ピン挿通孔２１の両端に突出したヒンジピンの両端部を、前記風防カバー７の内側に対をなして突出して備えたホルダ支持部３７（図１参照）に回動可能に支持する。
【００２９】
その後、従来の構成と同様に、風防カバー７に備えたコイルスプリングによってミラーホルダ１３を一方向へ回動するように付勢すると共に、風防カバー７に備えた調整ねじによって前記ミラーホルダ１３の回動角度を調整し固定するものである。このように、ミラーホルダ１３を風防カバー７に固定した状態においては、前記ホルダ本体１５が風防カバー７に一体的に固定されるものである。
【００３０】
そして、反射ミラー１１を保持したミラー保持部１９は、前述したように、ホルダ本体１５に備えた係止ストッパ２３の係止部２５に係止された状態にあり、前記係止部２５の係止を解除することにより、前述したように、ホルダ本体１５に対してミラー保持部１９を回動することができる。したがって、前述したように、前記ミラー保持部１９に対する反射ミラー１１の着脱交換を容易に行うことができるものである。
【００３１】
そして、前記係止ストッパ２３の係止部２５にミラー保持部１９の被係止部３３を係止した状態においては、ホルダ本体１５とミラー保持部１９との位置的関係が常に一定の関係になるので、反射ミラー１１の着脱交換後に、改めて角度調整を行う必要がなく、前述したごとき従来の問題を解消し得るものである。
【００３２】
図５はミラーホルダ１３の第２の実施形態を示すもので、この第２の実施形態においては、ミラー保持部１９に、反射ミラー１１を、反射ミラー１１の厚さ方向、すなわちミラー保持片３１側へ押圧するための板バネなどのごとき適宜の弾性部材３９を備えた構成である。
【００３３】
上記構成によれば、反射ミラー１１は弾性部材３９によってミラー保持片３１へ押圧されるので、反射ミラー１１の反射面の位置が常に一定の位置になると共に、反射ミラー１１の厚さに僅かな誤差がある場合であっても、反射ミラー１１を安定的に支持することができるものである。
【図面の簡単な説明】
【００３４】
【図１】本発明の実施形態に係る光ファイバ融着接続機の概略的な構成を示す説明図である。
【図２】本発明の実施形態に係るミラーホルダの開いた状態の説明図である。
【図３】ミラーホルダの使用状態における構成の説明図である。
【図４】反射ミラーを着脱交換する際の状態を示すミラーホルダの説明図である。
【図５】ミラーホルダの第２の実施形態を示す説明図である。
【符号の説明】
【００３５】
１  光ファイバ融着接続機
７  風防カバー
９  光ファイバ
１１  反射ミラー
１３  ミラーホルダ
１５  ホルダ本体
１７  ヒンジ部
１９  ミラー保持部
２３  係止ストッパ
２５  係止部
３１  ミラー保持片
３３  被係止部
３５  指掛け部
【図１】
2005189331.tif 000003
【図２】
2005189331.tif 000004
【図３】
2005189331.tif 000005
【図４】
2005189331.tif 000006
【図５】
2005189331.tif 000007